(57)【要約】      （修正有）【課題】携帯端末のジャック孔に挿入して装着する携帯端末用アクセサリを収納可能な携帯端末用アクセサリホルダーを提供する。【解決手段】本携帯端末用アクセサリホルダー２００は、携帯端末のジャック孔に差し込まれ嵌合される軸部と軸部に接合される装飾部とを有する携帯端末用アクセサリを着脱可能に差し込むことができる開口部４０を有し、開口部はジャック孔の内部構造に対応した形状を有することを特徴とする。本携帯端末用アクセサリホルダーによれば、イヤホンを使用する際に取り外した携帯端末用アクセサリを収納することによって携帯端末用アクセサリの紛失を防止することができる。【選択図】図１
0003171491.tif 000002
【実用新案登録請求の範囲】
【請求項１】
携帯端末のジャック孔に差し込まれ嵌合される軸部と前記軸部に接合される装飾部とを有する携帯端末用アクセサリを着脱可能に差し込むことができる開口部を有し、前記開口部は前記ジャック孔の内部構造に対応した形状を有することを特徴とする携帯端末用アクセサリホルダー。
【請求項２】
前記携帯端末用アクセサリホルダーは筒部と底部とを有し、前記開口部は前記筒部に形成され、前記底部は前記筒部の前記開口部が形成されている側に対向する側に接続されることを特徴とする請求項１に記載の携帯端末用アクセサリホルダー。
【請求項３】
前記携帯端末用アクセサリホルダーは、ホルダーケースの内部に形成され、前記ホルダーケースから前記開口部が露出していることを特徴とする請求項１又は請求項２に記載の携帯端末用アクセサリホルダー。
【請求項４】
前記開口部の内側に前記ジャック孔の内部構造に対応して複数の凸部が形成されていることを特徴とする請求項１から請求項３のいずれか一つに記載の携帯端末用アクセサリホルダー。
【請求項５】
前記筒部は金属からなり、略円柱状の外形を有することを特徴とする請求項２から請求項４のいずれか一つに記載の携帯端末用アクセサリホルダー。
【請求項６】
前記ホルダーケースに装飾が施されていることを特徴とする請求項１から請求項５のいずれか一つに記載の携帯端末用アクセサリホルダー。
【請求項７】
前記開口部に挿入される前記携帯端末用アクセサリは、前記ホルダーケースの装飾の一部を構成することを特徴とする請求項６に記載の携帯端末用アクセサリホルダー。
【考案の詳細な説明】
【技術分野】
【０００１】
本考案は、携帯電話等の携帯端末用アクセサリに関し、より詳細には、スマートフォンなど装飾用ストラップ等を付けるためのストラップホールが形成されていない携帯端末を装飾するためのアクセサリを収納するためのホルダーに関する。
【背景技術】
【０００２】
近年、携帯端末として、携帯電話・ＰＨＳと携帯情報端末（ＰＤＡ）を融合した、いわゆるスマートフォン等が多くのユーザに利用されている。これらのスマートフォンの中には、従来の携帯電話端末と異なり、ストラップ等を付けるためのストラップホールが形成されていないものも存在する。従来のストラップホールが形成されている携帯電話を使用していたユーザにとっては、スマートフォンに従来の携帯端末用アクセサリである装飾用ストラップ等の装飾品を付けることができないという不満があり、スマートフォンにアクセサリ等を付けて携帯電話を装飾することができないという問題があった。
【０００３】
従来の携帯端末用アクセサリとしては、携帯端末のケースに設けられたストラップホールにループ状の紐を通して携帯端末に結び付けられる携帯ストラップがある。また、携帯端末のケース表面にラインストーンを接着させたりシールを貼ったりして装飾する携帯端末の装飾方法も利用されている。
【０００４】
しかし、従来の携帯端末用アクセサリにおいては、携帯ストラップはストラップホールが形成されていない携帯端末に用いることができず、携帯端末のケース表面にラインストーンやシールを接着・貼付する装飾方法は、装飾品を一度接着・貼付した後に他の装飾品に付け替えることが困難であるという問題があった。
【０００５】
その他の従来の携帯端末用アクセサリとして、例えば携帯電話機のイヤホンジャックカバーに取り付ける装飾用グッズ（実用新案登録第３０８８４９６号）がある。
【０００６】
しかし、上記装飾用グッズは、イヤホンジャックカバーに突き刺して装着する構造を有するため、イヤホンジャックカバーを有しない携帯端末には装着することができないという問題がある。現在販売されている携帯電話の中にも、イヤホンジャックカバーが形成されず、ジャック孔が露出しているものが多く存在する。
【０００７】
また、上記装飾用グッズは装飾部と装着部とを着脱することができない構造を有するため、装着部に破損や摩耗等の損傷が生じた場合には、装飾部を含む装飾用グッズ全体が使用できなくなるという問題があった。したがって、上記装飾用グッズにおいては、損傷した装着部のみを新しい装着部に取り替えて、同じ装飾部を長期間使用し続けることができないという問題もある。この問題は、装飾部に高価な宝石や貴金属を用いる場合に特に顕著となる。
【０００８】
さらに、携帯端末アクセサリを携帯端末のジャック孔に差し込み嵌合して装着する形状とする場合には、携帯端末のジャック孔にイヤホンプラグを差し込んでイヤホンを使用する際に、ジャック孔に差し込んで装着していた携帯端末アクセサリを取り外す必要があり、イヤホンを使用している間に、取り外した携帯端末アクセサリを紛失する可能性があるという問題がある。
【先行技術文献】
【特許文献】
【０００９】
【特許文献１】実用新案登録第３０８８４９６号公報
【考案の概要】
【考案が解決しようとする課題】
【００１０】
そこで、本考案においては、装飾用ストラップ等を付けるためのストラップホールが形成されていない、いわゆるスマートフォンなどの携帯端末であっても装飾することができる携帯端末用アクセサリを収納するためのホルダーを提供することを目的とする。
【００１１】
また、本考案においては、イヤホンを使用する際に携帯端末のジャック孔から取り外した携帯端末用アクセサリを収納することによって携帯端末用アクセサリの紛失を防止することのできる携帯端末用アクセサリホルダーを提供することを目的とする。
【００１２】
さらに、本考案においては、携帯端末のジャック孔に挿入して装着する携帯端末用アクセサリにおいて、ジャック孔から取り外した携帯端末用アクセサリを新たな装飾品として用いることのできる携帯端末用アクセサリホルダーを提供することを目的とする。
【課題を解決するための手段】
【００１３】
本考案の一実施形態にかかる携帯端末用アクセサリホルダーは、携帯端末のジャック孔に差し込まれ嵌合される軸部と軸部に接合される装飾部とを有する携帯端末用アクセサリを着脱可能に差し込むことができる開口部を有し、開口部はジャック孔の内部構造に対応した形状を有することを特徴とする。
【００１４】
また、本考案の他の実施形態にかかる携帯端末用アクセサリホルダーは筒部と底部とを有し、開口部は筒部に形成され、底部は筒部の開口部が形成されている側に対向する側に接続されてもよい。
【００１５】
また、本考案の他の実施形態にかかる携帯端末用アクセサリホルダーは、ホルダーケースの内部に形成され、ホルダーケースから開口部が露出していてもよい。
【００１６】
また、本考案の他の実施形態にかかる携帯端末用アクセサリホルダーは、開口部の内側にジャック孔の内部構造に対応して複数の凸部が形成されていてもよい。
【００１７】
また、本考案の他の実施形態にかかる携帯端末用アクセサリホルダーの筒部は金属からなり、略円柱状の外形を有してもよい。
【００１８】
また、本考案の他の実施形態にかかる携帯端末用アクセサリホルダーのホルダーケースに装飾が施されていてもよい。
【００１９】
また、本考案の他の実施形態にかかる携帯端末用アクセサリホルダーにおいて、開口部に挿入される携帯端末用アクセサリは、ホルダーケースの装飾の一部を構成してもよい。
【考案の効果】
【００２０】
本考案にかかる携帯端末用アクセサリホルダーによれば、ストラップ等を付けるためのストラップホールが形成されていない携帯端末に対してもアクセサリを付けて装飾することができる。
【００２１】
また、本考案にかかる携帯端末用アクセサリホルダーによれば、イヤホンを使用する際に取り外した携帯端末用アクセサリを収納することによって携帯端末用アクセサリの紛失を防止することができる。
【００２２】
また、本考案にかかる携帯端末用アクセサリホルダーによれば、ジャック孔から取り外した携帯端末用アクセサリを新たな装飾品として用いることができる。
【００２３】
このような本考案にかかる携帯端末用アクセサリホルダーによれば、様々なデザインの携帯端末用アクセサリの装飾部と様々なデザインのホルダーとを容易に組み合わせることができるため、ユーザの好みに合った様々なデザインの携帯端末用アクセサリ及び携帯端末用アクセサリホルダーを装着することができるので、ユーザは携帯端末用アクセサリを紛失することなく自己の好みや気分に合わせて携帯電話を装飾し、自己の個性を十分に表現することができ、さらに他人の携帯端末との差別化を図ることができる。
【図面の簡単な説明】
【００２４】
【図１】本考案にかかる携帯端末用アクセサリホルダーの一例を示す斜視図である。
【図２】（Ａ）は図１の携帯端末用アクセサリホルダーの筒部の平面図である。（Ｂ）は図１の携帯端末用アクセサリホルダーの底部の平面図である。
【図３】（Ａ）は図１のａ−ａ’線からみた筒部の断面図である。（Ｂ）は図１のｂ−ｂ’線からみた筒部の断面図である。
【図４】図２（Ａ）の筒部に図２（ｂ）の底部を取り付けた携帯端末用アクセサリホルダーの断面図である。
【図５】本考案にかかる携帯端末用アクセサリホルダーの他の一例を示す概略断面図である。
【図６】図５の携帯端末用アクセサリホルダーに携帯端末用アクセサリを収納した状態を示す概略断面図である。
【図７】（Ａ）は本考案にかかる携帯端末用アクセサリホルダーのさらに他の一例を示す斜視図である。（Ｂ）は図７（Ａ）の携帯端末用アクセサリホルダーの平面図である。
【図８】（Ａ）は図７（Ａ）のｃ‐ｃ’線から見た断面図である。（Ｂ）は図７（Ａ）のｄ‐ｄ’線から見た断面図である。
【図９】携帯端末用アクセサリホルダーの一使用例を示す概略図である。
【考案を実施するための形態】
【００２５】
以下、本考案を実施するための形態について説明する。なお、本考案は、以下の説明に限定されることなく、種々の異なる態様での実施が可能である。以下では、同一の部材、同一に定義される部材には同じ符号を用いる。
【００２６】
図１は、本考案にかかる携帯端末用アクセサリホルダーの一例を示す斜視図である。図１を参照すると、携帯端末用アクセサリホルダー２００は筒部２１０と底部２２０とを有する。図２（Ａ）は図１の携帯端末用アクセサリホルダー２００の筒部２１０の平面図であり、図２（Ｂ）は図１の携帯端末用アクセサリホルダー２００の底部２２０の平面図である。また、図３（Ａ）は図１のａ−ａ’線からみた断面図であり、図３（Ｂ）は図１のｂ−ｂ’線からみた断面図である。図４は図２（Ａ）の筒部２１０に図２（ｂ）の底部２２０を取り付けた携帯端末用アクセサリホルダー２００の断面図である。
【００２７】
図１を参照すると、本考案にかかる携帯端末用アクセサリホルダー２００は、筒部２１０と底部２２０とを有し、図４を参照すると、底部２２０は筒部２１０の内部に押し込まれるようにして接合される。
【００２８】
図１、図３（Ａ）及び図４を参照すると、筒部２１０は中空で略円柱状の筒状の外形を有し、筒部２１０には開口部４０が形成されている。開口部４０の内側には図３（Ａ）及び図４に示すように携帯端末に形成されるイヤホン用のジャック孔（図示せず）の内部構造に対応して複数の凸部２０、２２が形成されている。なお、図３（Ａ）及び図４に示す凸部２０．２２は筒部２１０の円周に沿って形成されているが、本考案の凸部の形状はこの例に限定されるものではなく、例えば点々と形成される突起状の凸部であってもよい。
【００２９】
この複数の凸部２０、２２はジャック孔の内部構造に対応して形成されているため、ジャック孔に差し込んで装着するタイプの携帯端末アクセサリ（図５及び図６の符号１００を参照）を携帯端末用アクセサリホルダーの開口部４０に挿入する際に、携帯端末アクセサリを安定して携帯端末用アクセサリホルダーに収納することができるという機能を有する。
【００３０】
また、図１及び図２（Ａ）を参照すると、筒部２１０の外周には複数の溝１０、１２、１４が形成されているが、この溝１０、１２、１４は開口部４０の内側に形成される凸部２０、２２に対応して形成されてもよく、凸部２０、２２に対応していなくてもよい。
【００３１】
また、図３（Ａ）及び図４に示すように、筒部２１０の開口部４０に対向する側の端部の内側に、他の部分より小さな厚みを有する傾斜部２１２が形成されてもよい。この傾斜部２１２は、端部に近い部分ほど小さな厚みを有するように傾斜して形成されているため、底部２２０を筒部２１０の内部に押し込んで接合することを容易にするという機能を有する。
【００３２】
さらに、図１等に示すように、筒部２１０の開口部４０付近に、他の部分より肉厚に形成された上縁部２１４が形成されてもよい。上縁部２１４は、後述するように携帯端末アクセサリホルダー２００をホルダーケース４００（図５及び図６を参照）の中に形成する場合に、ホルダーケース４００から開口部４０を露出させるために用いることができるという機能を有する。
【００３３】
筒部２１０の素材は、例えば金属であってもよいが、本考案にかかる携帯端末アクセサリホルダーの筒部２１０の素材は金属に限定されるものではない。
【００３４】
次に、図１から図４を参照すると、底部２２０は内筒部２２４２底縁部２２４とを有するものでもよい。内筒部２２２は図４に示すように筒部２１０の傾斜部２１２に押し込まれるようにして接合されてもよい。内筒部２２２はすり鉢状または多角形状の凹部３０を有するものでもよい。凹部３０はホルダーに収納された携帯端末アクセサリの先端部を安定して受け止めるという機能を有する。
【００３５】
底縁部２２４は内筒部２２２より大きく筒部２１０とほぼ同じ程度の外周を有しているため、底縁部２２４が筒部２１０の開口部４０に対向する端部に接することにより、底部２２０と筒部２１０とが接合する深さを定めるという機能を有している。
【００３６】
底部２２０は、内筒部２２２を筒部２１０に容易に押し入れることができるように樹脂等の弾性を有する素材からなるものであってもよい。
【００３７】
次に、図５及び図６を参照して本考案にかかる携帯端末用アクセサリホルダーの他の一例を説明する。
【００３８】
図５は本考案にかかる携帯端末用アクセサリホルダーの他の一例を示す概略断面図であり、図６は図５の携帯端末用アクセサリホルダーに携帯端末用アクセサリを収納した状態を示す概略断面図である。
【００３９】
図５を参照すると、筒部２１０と底部２２０とを有する図１に示した携帯端末用アクセサリホルダー２００は、ホルダーケース４００の中に形成されている。
ホルダーケース４００は、携帯端末用アクセサリホルダー２００の開口部４０を露出するように形成されている。
【００４０】
ホルダーケース４００は装飾を施されたものであってもよい。図５に示すホルダーケース４００は全体形状が立体的なハート型となるように形成されている。
【００４１】
図５を参照して、本考案にかかる携帯端末用アクセサリホルダー２００に収納される携帯端末アクセサリ１００について説明する。携帯端末アクセサリ１００は、軸部５０と装飾部６０とを有する、軸部５０は、イヤホンプラグを挿入するために携帯端末（図示せず）に形成されているジャック孔（図示せず）に差し込み嵌合可能な形状を有し、軸部５０全体の外形は略円柱状であってもよい。
【００４２】
軸部５０と装飾部６０とを結合するための構造は任意の構造で足りるが、一例として軸部５０と装飾部６０とを着脱可能に螺合する場合の構造を具体的に説明する。図５等に示す装飾部６０は内部に雌ネジ部（図示せず）が形成されている。また、装飾部６０と結合する軸部５０の端部には雄ネジ部（図示せず）が形成されている。装飾部６０の内部に形成された雌ネジ部は、軸部５０の端部に形成された雄ネジ部に対応する形状に形成されている。
【００４３】
このような軸部５０と装飾部６０とに容易に分離することができる構造の携帯端末用アクセサリ１００を用いることで、携帯端末ユーザは、同一の軸部５０に、自己の気分やＴＰＯに合わせて様々な装飾部６０を容易に付け替えることができるので、携帯端末ユーザは自己の気分やＴＰＯに合わせて様々な装飾を携帯端末に施して楽しむことができる。また、携帯端末ユーザが長期間同一の軸部５０を備える携帯端末用アクセサリを使用することによる摩耗等によって軸部５０が劣化・損傷した場合でも、軸部５０のみを交換することによって、同じ装飾部６０を長期間継続して使用することができる。
【００４４】
携帯端末用アクセサリ１００は、このような取り替え可能な構造を有することにより、貴金属や宝石等を用いた高価な装飾を施した装飾部であっても継続して長期間愛用することができる。また、安価な装飾部であっても様々なデザイン・大きさ・材質の装飾部を付け替えて使用することができるため、携帯端末ユーザの個性や好みをより多様な形で表現することができる。
【００４５】
次に、携帯端末用アクセサリ１００の軸部５０の構造の一例について説明する。軸部５０においてジャック孔に挿入される側の先端部は、先に向かって細くなる形状を有してもよい。ただし、先端部は必ずしも鋭利な形状である必要はなく、軸部５０の他の部分の太さに比較して細いものであれば足りる。
【００４６】
また、軸部５０の外形を形成する円柱の外周には一般的な携帯端末に形成されるジャック孔の内部構造に対応した複数の溝１１０、１１２、１１４が形成されていてもよい。図５等には軸部５０の外周に３つの溝が形成された例を図示したが、軸部５０の形状はこれに限られるものではなく、軸部５０において溝の形成される位置や個数は携帯端末のジャック孔に挿入可能な形状である限り、任意に変更されてもよい。
【００４７】
このように軸部５０の外形を形成する円柱の外周にジャック孔の内部構造に対応した複数の溝１１０、１１２、１１４が形成されるという構造により、携帯端末用アクセサリ１００を携帯端末のジャック孔に差し込み嵌合する際に、携帯端末用アクセサリ１００がジャック孔内部に安定的に嵌合されるため、携帯端末用アクセサリ１００をジャック孔から意図的に引き抜こうとしない限り、不意に携帯端末用アクセサリ１００がジャック孔から不用意に抜け落ちることを防止することができる。
【００４８】
本考案にかかる軸部の材質は、雄ネジ部、先端部、及び溝１１０、１１２、１１４等の形成を容易にし、かつ、携帯端末のジャック孔内部に形成されている接続端子との電気的接触を回避するために、絶縁性を有する樹脂等の材質であることが望ましいが、これに限定されるものではない。
【００４９】
本考案にかかる軸部は、例えばＰＰ（ポリプロピレン）、ＰＥ（ポリエチレン）、ポリアセタール、アセタール樹脂、又はポリアセタール樹脂であってもよい。ポリアセタールは非晶部分と結晶部分とが混在するため、強度、弾性、耐衝撃性に優れたプラスチックである。本考案にかかる軸部の材質としてはポリアセタールのような強度、弾性、耐衝撃性に優れた材質を用いることができる。
【００５０】
次に、携帯端末用アクセサリの軸部５０に結合される装飾部６０の一例について説明する。
【００５１】
装飾部６０の底には開口（図示せず）が形成され、開口の内部には本件考案にかかる携帯端末用アクセサリの軸部に螺合される雌ネジ部（図示せず）が形成されてもよい。雌ネジ部は、軸部５０に形成された雄ネジ部（図示せず）に対応する形状に形成されており、雄ネジ部と螺合される形状であればネジ山の数や雌ネジ部の形状等は任意のもので足りる。雌ネジ部は、軸部５０に形成される雄ネジ部と螺合することにより、装飾部６０と軸部５０とを着脱自在に接続するという機能を有する。
【００５２】
また、装飾部６０の大きさ・素材・デザインは、軸部５０の上に形成可能なものであればどのようなであってもよい。図５等ではバラの形状を有する装飾部６０を示したが、装飾部はその他の形状も広く含み、例えば王冠の形状、ドクロの形状、その他の任意の形状としてもよい。
【００５３】
また、装飾部６０に用いられる材質も一般に装飾品として用いられるあらゆる材質を用いることが可能であり、例えば一つ又は複数の宝石や貴石、真珠等を用いてもよく、その他にも例えば金属、樹脂、クリスタル、プラスチック又はガラス、あるいは布や木材などの天然素材を用いてもよく、又はこれらの材質のいくつかを組み合わせたものでもよい。
【００５４】
次に、図５及び図６を参照して携帯端末アクセサリ１００を本考案にかかる携帯端末アクセサリホルダー２００に収納した状態を説明する。図５は携帯端末アクセサリ１００を収納する前の携帯端末アクセサリホルダー２００の断面図であり、図６は携帯端末アクセサリ１００を収納した後の携帯端末アクセサリホルダー２００の断面図である。
【００５５】
図６を参照すると、本考案にかかる携帯端末アクセサリ１００を携帯端末アクセサリホルダー２００の開口部４０に押し込むことで携帯端末アクセサリ１００を本考案にかかる携帯端末アクセサリホルダー２００に収納することができる。このとき、携帯端末アクセサリ１００の軸部５０に形成された溝１１０、１１２、１１４と本考案にかかる携帯端末アクセサリホルダー２００の筒部２１０の内部に形成された凸部２０、２２とがかみ合うことによって、携帯端末アクセサリ１００の軸部５０が本考案にかかる携帯端末アクセサリホルダー２００の筒部２１０に安定して収納される。
【００５６】
このような構造により、携帯端末用アクセサリ１００を携帯端末アクセサリホルダー２００から意図的に引き抜こうとしない限り、携帯端末用アクセサリ１００が携帯端末アクセサリホルダー２００から不用意に抜け落ちることを防止することができる。
【００５７】
次に、図７及び図８を参照して本考案にかかる携帯端末用アクセサリホルダーのさらに他の一例を説明する。図７（Ａ）は本考案にかかる携帯端末用アクセサリホルダーのさらに他の一例３００を示す斜視図であり、図７（Ｂ）は図７（Ａ）の携帯端末用アクセサリホルダー３００の平面図である。また、図８（Ａ）は図７（Ａ）のｃ‐ｃ’線から見た断面図であり、図８（Ｂ）は図７（Ａ）のｄ‐ｄ’線から見た断面図である。
【００５８】
図７（Ａ）を参照すると、本考案にかかる携帯端末用アクセサリホルダーのさらに他の一例３００は、円柱状の外形を有し、一方の端部には底が形成され、他方の端部には開口部４０が形成された筒状の形状を有する。
【００５９】
さらに、図８（Ｂ）を参照すると、携帯端末用アクセサリホルダー３００の底にはすり鉢状または多角形状の凹部２３０が形成されている。この底の形状は、携帯端末用アクセサリホルダーに収納される携帯端末用アクセサリの軸部の先端部を安定して受け止めるという機能を有している。また、図８（Ａ）及び図８（Ｂ）を参照すると、携帯端末用アクセサリホルダー３００の外側には複数の凹部１３０が形成されており、凹部１３０に対応する携帯端末用アクセサリホルダー３００の内側には半円形状の凸部１２０が形成されている。この凸部１２０はジャック孔の内部構造に対応して形成されているため、携帯端末アクセサリ１００の軸部５０の外形にも対応しており、携帯端末アクセサリ１００を開口部４０に挿入する場合に、携帯端末用アクセサリホルダー３００の凸部１２０が携帯端末アクセサリ１００の軸部５０に形成された溝１１０、１１２、１１４等の形状とかみ合うことにより、携帯端末アクセサリ１００を安定してホルダーに収納することができるという機能を有する。
【００６０】
次に、図９を参照して携帯端末用アクセサリホルダーの一使用例を説明する。図９は図５の携帯端末用アクセサリホルダー２００の一使用例を示す概略図である。
【００６１】
図９を参照すると、携帯端末用アクセサリホルダー２００（図示せず）はハート形の立体的な形状を有するホルダーケース４００の内部に形成されており、携帯端末用アクセサリホルダー２００にはバラの花の形状を有する装飾部６０を有する携帯端末用アクセサリ１００が収納されている。図９の使用例においては、ハート型の装飾が施されたホルダーケース４００に携帯端末用アクセサリ１００のバラの装飾部６０が組み合わされることにより、バラの花が付いたハートという新たな装飾品を形成している。
【００６２】
また、図９を参照すると、ホルダーケース４００に丸環、ナスカンなど他の部品と結合するための部品５２０を付けることにより、本考案にかかる携帯端末用アクセサリホルダー２００にキーホルダーリング５００やチェーン５１０など任意の装飾部品を組み合わせることができる。
【００６３】
図９の使用例においては、例えばチェーン５１０をバックに付けて本考案にかかる携帯端末用アクセサリホルダー２００をバッグチャームのように使用することもできる。この使用例によれば、携帯端末にイヤホンプラグを差し込んでイヤホンを使用する場合には、それまで携帯端末に差し込んで使用していた携帯端末アクセサリ１００を携帯端末のジャック孔から抜き取り、バッグチャームのように使用している携帯端末用アクセサリホルダー２００の開口部４０（図示せず）に携帯端末アクセサリ１００を収納して携帯端末のイヤホン機能を使用することができる。
【００６４】
これにより、ユーザは携帯端末のイヤホンを使用する際に、取り外した携帯端末用アクセサリ１００を本考案にかかる携帯端末用アクセサリホルダー２００に収納することによって、携帯端末用アクセサリ１００の紛失を防止することができる。
【００６５】
図９では本考案にかかる携帯端末用アクセサリホルダー２０の一使用例を説明したが、本考案にかかる携帯端末用アクセサリホルダーは他の形状のホルダーケースの内部に形成されてもよく、ホルダーケースに施される装飾や形状はかかる例に限定されるものではない。また、携帯端末用アクセサリホルダーに付属される部品もバッグチャームとして使用するためのチェーンに限定されるものではなく、例えばネックレスのように首にかけて着用するものでもよく、その他の形状であってもよい。
【符号の説明】
【００６６】
１００  携帯端末用アクセサリ
５０    軸部
６０    装飾部
２００、３００  携帯端末用アクセサリホルダー
４００  ホルダーケース
２１０  筒部
２２０  底部
１０、１２、１４、１１０、１１２、１１４  溝
２０、２２、１２０    凸部
３０、１３０、２３０  凹部
４０    開口部
【図１】
0003171491.tif 000003
【図２】
0003171491.tif 000004
【図３】
0003171491.tif 000005
【図４】
0003171491.tif 000006
【図５】
0003171491.tif 000007
【図６】
0003171491.tif 000008
【図７】
0003171491.tif 000009
【図８】
0003171491.tif 000010
【図９】
0003171491.tif 000011